(57)【要約】【課題】反応生成物を効率よく分離することができる燃料電池システムおよびその制御方法を提供すること。【解決手段】燃料電池システム２に、液体燃料が供給および排出される燃料電池３と、燃料電池３に対して液体燃料を供給する燃料供給ライン３０と、液体燃料の反応生成物を含む排出液を、燃料電池３から排出する燃料排出ライン３１と、燃料排出ライン３１に接続される気液分離器２３と、燃料電池３から出力される電力により気液分離器２３を温めるための加熱装置４５とを備える。【選択図】図１
2016122591.tif 000002
【特許請求の範囲】
【請求項１】
液体燃料が供給および排出される燃料電池と、
前記燃料電池に対して液体燃料を供給する燃料供給経路と、
前記液体燃料の反応生成物を含む排出液を、前記燃料電池から排出する燃料排出経路と、
前記燃料排出経路に接続される気液分離器と、
前記燃料電池から出力される電力によって、前記気液分離器を温めるための加熱装置と
を備えることを特徴とする、燃料電池システム。
【請求項２】
請求項１に記載の燃料電池システムを制御するための制御方法であって、
前記燃料電池と前記気液分離器との温度差を検知する温度差検知工程、
前記温度差が所定値以上である場合に、前記加熱装置を稼働させる稼働工程、および、
前記温度差が所定値未満である場合に、前記加熱装置を停止させる停止工程
を備え、
前記稼働工程は、
前記燃料電池が暖機運転モードであるか通常運転モードであるかを判定する判定工程、
前記判定工程において暖機運転モードであると判定された場合に、前記加熱装置の出力を最大とする最大出力稼働工程、および、
前記判定工程において通常運転モードであると判定された場合に、前記加熱装置の出力を変動させる変動出力稼働工程
を備えることを特徴とする、燃料電池システムの制御方法。
【発明の詳細な説明】
【技術分野】
【０００１】
本発明は、燃料電池システムおよびその制御方法に関し、詳しくは、液体燃料により発電する燃料電池を備える燃料電池システム、および、その制御方法に関する。
【背景技術】
【０００２】
従来、直接メタノール形燃料電池、直接ジメチルエーテル形燃料電池、ヒドラジン形燃料電池などの、液体燃料形燃料電池が知られている。
【０００３】
液体燃料形燃料電池は、水素ガスを生成するための改質器を必要としないので、システムとしての構造の簡略化が期待されている。
【０００４】
液体燃料形燃料電池が備えられる燃料電池システムは、通常、電解質膜、燃料側電極および酸素側電極が圧着されて得られる膜・電極接合体（ＭＥＡ）を有する単位セルが複数積層されることによって形成されている燃料電池と、燃料電池に液体燃料を供給するための燃料供給手段と、燃料電池に空気を供給するための空気供給手段とを備えている。
【０００５】
このようなシステムでは、燃料電池のアノードに液体燃料が供給されるとともに、燃料電池のカソードに空気が供給されることによって、電気化学反応が生じ、起電力が発生する。
【０００６】
燃料電池システムとして、より具体的には、例えば、電解質層、電解質層の一方側に配置され、液体燃料としてヒドラジンなどが供給されるアノード、および、電解質層の他方側に配置され、空気が供給されるカソードを備える燃料電池と、アノードにヒドラジン類を供給する燃料給排部と、カソードに空気を供給する空気給排部とを備える燃料電池システムが、提案されている（例えば、特許文献１参照。）。
【０００７】
上記の燃料電池システムでは、電気化学反応によって、ヒドラジン（Ｎ２Ｈ４）が消費され、起電力が発生するとともに、Ｎ２（反応生成物）とＨ２Ｏ（反応生成水）とが生じる。
【０００８】
一方、燃料であるヒドラジン（Ｎ２Ｈ４）が副反応を惹起し、反応生成物としてアンモニア（ＮＨ３）などが生じ、排出液中に混入される場合がある。このような反応生成物は、燃料電池からの排出液に含有された状態で排出され、気液分離器などによってガスとして分離される。
【０００９】
しかし、反応生成物（例えば、アンモニアなど）がガスとして外部へ排出されると、環境負荷を生じる場合がある。そこで、例えば、気液分離器の気体出口側に吸着材などを設け、反応生成物のガス（例えば、アンモニアなど）を分離および除去することも提案されている。
【先行技術文献】
【特許文献】
【００１０】
【特許文献１】特開２０１３−１３４９８１号公報
【発明の概要】
【発明が解決しようとする課題】
【００１１】
一方、引用文献１に記載の燃料電池システムでは、気液分離器の温度が、燃料電池（本体）および排出液の温度に比べ、低くなる場合がある。
【００１２】
より具体的には、例えば、燃料電池が起動（稼働開始）すると、燃料電池の温度が上昇し、また、その燃料電池から排出される排出液の温度も上昇する。
【００１３】
そのため、排出液が流入される気液分離器の温度も上昇するが、気液分離器は、燃料電池から離隔されているため、気液分離器の温度の上昇速度は、燃料電池の温度の上昇速度よりも遅い。
【００１４】
その結果、燃料電池が起動した後、所定時間が経過するまでは、燃料電池の温度に比べ、気液分離器の温度が低くなる。
【００１５】
このような場合において、比較的高温の燃料電池から、排出液が排出され、比較的低温の気液分離器において、液体と気体とに分離されると、分離された気体が、気液分離器の内部で冷却される。その結果、気体の出口側において、飽和蒸気量が低下し、凝縮により水などの液滴が生じる場合がある。
【００１６】
そして、生じた液滴が、気液分離器の内部の吸着材などに付着すると、吸着材が劣化し、反応生成物の吸着・分離効率が低下する場合がある。
【００１７】
本発明の目的は、反応生成物を効率よく分離することができる燃料電池システムおよびその制御方法を提供することにある。
【課題を解決するための手段】
【００１８】
上記目的を達成するために、本発明の燃料電池システムは、液体燃料が供給および排出される燃料電池と、前記燃料電池に対して液体燃料を供給する燃料供給経路と、前記液体燃料の反応生成物を含む排出液を、前記燃料電池から排出する燃料排出経路と、前記燃料排出経路に接続される気液分離器と、前記燃料電池から出力される電力によって前記気液分離器を温めるための加熱装置とを備えることを特徴としている。
【００１９】
また、本発明の燃料電池システムは、上記の燃料電池システムを制御するための制御方法であって、前記燃料電池と前記気液分離器との温度差を検知する温度差検知工程、前記温度差が所定値以上である場合に、前記加熱装置を稼働させる稼働工程、および、前記温度差が所定値未満である場合に、前記加熱装置を停止させる停止工程を備え、前記稼働工程は、前記燃料電池が暖機運転モードであるか通常運転モードであるかを判定する判定工程、前記判定工程において暖機運転モードであると判定された場合に、前記加熱装置の出力を最大とする最大出力稼働工程、および、前記判定工程において通常運転モードであると判定された場合に、前記加熱装置の出力を変動させる変動出力稼働工程を備えることを特徴としている。
【発明の効果】
【００２０】
本発明の燃料電池システムは、燃料電池から出力される電力によって気液分離器を温めるための加熱装置を備えている。そのため、本発明の燃料電池システムによれば、燃料電池から出力される電力によって気液分離器を温めることができ、気液分離器において飽和蒸気圧が低下することを抑制することができる。その結果、液滴の発生を抑制することができるため、反応生成物の分離効率の低下を抑制することができる。
【００２１】
また、本発明の燃料電池システムの制御方法によれば、燃料電池と気液分離器との温度差が所定値以上である場合に、燃料電池の運転モードに応じて、加熱装置を作動させ、気液分離器を温めることができる。そのため、気液分離器において飽和蒸気圧が低下することを抑制することができる。その結果、液滴の発生を抑制することができるため、反応生成物の分離効率の低下を抑制することができる。
【図面の簡単な説明】
【００２２】
【図１】図１は、本発明の一実施形態に係る燃料電池システムを搭載した電動車両の概略構成図である。
【図２】図２は、図１に示される燃料電池システム１の制御方法を示すフロー図である。
【発明を実施するための形態】
【００２３】
１．燃料電池システムの全体構成
図１において、電動車両１は、燃料電池およびバッテリを選択的に動力源とするハイブリッド車両であって、燃料電池システム２を搭載している。
【００２４】
燃料電池システム２は、燃料電池３と、燃料給排部４と、空気給排部５と、加熱部２１と、制御部６と、動力部７とを備えている。
（１）燃料電池
燃料電池３は、液体燃料が直接供給および排出される、例えば、アニオン交換型燃料電池またはカチオン交換型燃料電池であって、電動車両１の中央下側に配置されている。
【００２５】
燃料電池３に供給され、また、燃料電池３から排出される液体燃料としては、例えば、メタノール、ヒドラジン（例えば、無水ヒドラジンや、ヒドラジン１水和物などの水加ヒドラジンなどを含む）などが挙げられ、好ましくは、ヒドラジンが挙げられる。
【００２６】
なお、以下において、燃料電池３に供給される液体燃料を供給液、一方、燃料電池３から排出される液体燃料を排出液として、それぞれ区別する。
【００２７】
なお、排出液は、未反応の液体燃料の他、燃料電池３における液体燃料の反応生成物および反応生成水を含んでいる。反応生成物は、用いられる液体燃料の種類により異なる。例えば、液体燃料としてヒドラジンが用いられる場合には、窒素（Ｎ２）やアンモニア（ＮＨ３）などが反応生成物として排出液に含有される。
【００２８】
燃料電池３は、電解質層８と、電解質層８の一方側に配置されたアノード９と、電解質層８の他方側に配置されたカソード１０とを有する単位セル２８（燃料電池セル）が、セパレータ（図示せず）を介して複数積層されたスタック構造に形成されている。つまり、電解質層８を介してアノード９およびカソード１０が対向配置されてなる単位セル２８が複数積層されている。なお、図１では、積層される複数の単位セル２８のうち、電動車両１の前後方向途中に配置される単位セル２８だけを拡大して表わし、その他の単位セル２８については簡略化して記載している。
【００２９】
電解質層８は、例えば、アニオン成分またはカチオン成分が移動可能な層であり、アニオン交換膜またはカチオン交換膜を用いて形成されている。
【００３０】
アノード９は、燃料側電極としてのアノード電極１１と、アノード電極１１に液体燃料（供給液）を供給するための燃料供給部材１２とを有している。
【００３１】
アノード電極１１は、電解質層８の一方面に形成されている。アノード電極１１の電極材料としては、例えば、触媒が担持された多孔質担体（触媒担持多孔質担体）などが挙げられる。
【００３２】
燃料供給部材１２は、セパレータとしても兼用され、ガス不透過性の導電性部材からなる。燃料供給部材１２には、その表面から凹む葛折状の溝が形成されている。そして、燃料供給部材１２は、溝の形成された表面がアノード電極１１に対向接触されている。これにより、アノード電極１１の一方面と燃料供給部材１２の他方面（溝の形成された表面）との間には、アノード電極１１全体に液体燃料（供給液）を接触させるための燃料供給路１３が形成される。
【００３３】
燃料供給路１３には、液体燃料（供給液）をアノード９内に流入させるための燃料供給口１５が一端側（下側）に形成され、液体燃料（排出液）をアノード９から排出するための燃料排出口１４が他端側（上側）に形成されている。
【００３４】
カソード１０は、酸素側電極としてのカソード電極１６と、カソード電極１６に空気（酸素）を供給するための空気供給部材１７とを有している。
【００３５】
カソード電極１６は、電解質層８の他方面に形成されている。
【００３６】
カソード電極１６の電極材料としては、例えば、アノード電極１１の電極材料として例示した、触媒担持多孔質担体などが挙げられる。
【００３７】
空気供給部材１７は、セパレータとしても兼用され、ガス不透過性の導電性部材からなる。空気供給部材１７には、その表面から凹む葛折状の溝が形成されている。そして、空気供給部材１７は、溝の形成された表面がカソード電極１６に対向接触されている。これにより、カソード電極１６の他方面と空気供給部材１７の一方面（溝の形成された表面）との間には、カソード電極１６全体に空気を接触させるための空気流路としての空気供給路１８が形成される。
【００３８】
空気供給路１８には、空気をカソード１０内に流入させるための空気供給口１９が他端側（上側）に形成され、空気をカソード１０から排出するための空気排出口２０が一端側（下側）に形成されている。
【００３９】
また、このような燃料電池３において、複数の単位セル２８をそれぞれ区分する１つのセパレータは、上記燃料供給部材１２および上記空気供給部材１７を兼ね備える。換言すると、セパレータは、その一方側面において、燃料供給部材１２として作用するとともに、他方側面において、空気供給部材１７として作用する。
【００４０】
また、燃料電池３は、燃料電池３の温度を検知するための第１温度センサ５１を備えている。
【００４１】
第１温度センサ５１は、燃料電池３の温度を検知するためのセンサであって、燃料電池３に接続されている。
【００４２】
第１温度センサ５１としては、特に制限されず、公知の温度センサが用いられる。
【００４３】
第１温度センサ５１は、図示しないが、後述するコントロールユニット２９に電気的に接続されており、燃料電池３の温度状態が、電気信号としてコントロールユニット２９に入力可能とされている。
（２）燃料給排部
燃料給排部４は、液体燃料を貯蔵するための燃料タンク２２と、燃料タンク２２から燃料電池３（具体的には、アノード９の燃料供給路１３）に対して供給液を供給する燃料供給経路としての燃料供給ライン３０と、燃料電池３（具体的には、アノード９の燃料供給路１３）から排出液を排出する燃料排出経路としての燃料排出ライン３１と、燃料排出ライン３１から燃料供給ライン３０へ排出液を輸送する還流ライン３２とを備えている。
【００４４】
なお、燃料供給ライン３０と燃料排出ライン３１との間には、燃料電池３が介在されており、また、燃料排出ライン３１と還流ライン３２との間には、気液分離器２３（後述）が介在されている。
【００４５】
燃料タンク２２は、燃料電池３よりも後方、電動車両１の後側に配置されている。燃料タンク２２には、液体燃料として、例えば、上記したヒドラジンが貯蔵されている。
【００４６】
燃料供給ライン３０は、その上流側端部が、燃料タンク２２に接続されるとともに、下流側端部が、燃料電池３（具体的には、アノード９の燃料供給口１５）に接続されている。
【００４７】
また、燃料供給ライン３０の流れ方向途中には、燃料供給ポンプ３３および燃料供給弁３４が設けられている。
【００４８】
燃料供給ポンプ３３としては、例えば、ロータリーポンプ、ギヤポンプなどの回転式ポンプ、ピストンポンプ、ダイヤフラムポンプなどの往復式ポンプなど、公知の送液ポンプが用いられる。燃料供給ポンプ３３は、コントロールユニット２９（後述）に電気的に接続されている（図１の破線参照）。これにより、コントロールユニット２９（後述）からの制御信号が、燃料供給ポンプ３３に入力され、コントロールユニット２９（後述）が、燃料供給ポンプ３３の駆動および停止を制御する。
【００４９】
また、燃料供給弁３４は、燃料供給ライン３０を開閉するための弁であって、例えば、電磁弁など、公知の開閉弁が用いられる。また、燃料供給弁３４は、コントロールユニット２９（後述）に電気的に接続されている（図１の破線参照）。これにより、コントロールユニット２９（後述）からの制御信号が、燃料供給弁３４に入力され、コントロールユニット２９（後述）が、燃料供給弁３４の開閉を制御する。
【００５０】
このような燃料供給ライン３０により、燃料タンク２２から、液体燃料（供給液）が燃料電池３へ供給される。
【００５１】
燃料排出ライン３１は、その上流側端部が、燃料電池３（具体的には、アノード９の燃料排出口１４）に接続されるとともに、下流側端部が、気液分離器２３に接続されている。
【００５２】
このような燃料排出ライン３１により、排出液が燃料電池３から排出され、気液分離器２３に輸送される。
【００５３】
気液分離器２３は、例えば、中空の容器からなり、その下部には、気液分離器２３の内外を流通させる底部流通口２４が２つ形成されている。
【００５４】
また、気液分離器２３の上部には、気液分離器２３の内外を流通させる上部流通口２５が１つ形成されている。
【００５５】
気液分離器２３は、燃料電池３よりも電動車両１の前後方向後方、かつ、電動車両１の上下方向上方において、２つの底部流通口２４が、それぞれ、燃料排出ライン３１および還流ライン３２（後述）に接続されている。
【００５６】
上部流通口２５には、気液分離器２３で分離されたガス（気体）を排出するためのガス排出管２６が接続されている。ガス排出管２６は、上部流通口２５に接続されている。また、ガス排出管２６の途中には、ガス排出弁２７が設けられており、下流側端部が大気中に開放されている。
【００５７】
また、気液分離器２３の内部の上側には、液体成分の液面（最高液面）よりも鉛直方向上側となるように、分離装置５２が設けられている。
【００５８】
分離装置５２は、気液分離器２３において分離される気体成分に、液体燃料の反応生成物（アンモニアなど）が含有される場合に、その反応生成物（アンモニアなど）を捕集および分離するために、設けられている。
【００５９】
分離装置５２は、反応生成物の種類および量に応じて、適宜選択される。例えば、液体燃料としてヒドラジン類が用いられ、反応生成物としてアンモニアが生じる場合などには、分離装置５２として、吸着材（例えば、活性炭、ゼオライトなど）などが用いられる。
【００６０】
また、分離装置５２と、気液分離器２３の液面（最高液面）との間、すなわち、分離装置５２よりも鉛直方向下側、かつ、液体成分の液面（最高液面）よりも鉛直方向上側には、金属フィルター５３が設けられている。
【００６１】
金属フィルター５３は、例えば、液体成分の飛沫やミストなどが、分離装置５２に付着することを抑制するために、設けられている。
【００６２】
なお、金属フィルター５３の孔径および厚みは、特に制限されず、目的および用途に応じて、適宜設定される。
【００６３】
さらに、気液分離器２３は、第２温度センサ５４を備えている。
【００６４】
第２温度センサ５４は、気液分離器２３の内部の温度、とりわけ、気体成分側の出口付近の温度を検知するためのセンサである。第２温度センサ５４は、気液分離器２３における金属フィルター５３よりも鉛直方向上側、好ましくは、上部流通口２５の近傍に配置されている。
【００６５】
第２温度センサ５４としては、特に制限されず、公知の温度センサが用いられる。
【００６６】
第２温度センサ５４は、図示しないが、後述するコントロールユニット２９に電気的に接続されており、気液分離器２３の温度状態が、電気信号としてコントロールユニット２９に入力可能とされている。
【００６７】
ガス排出弁２７は、ガス排出管２６を開放して気液分離器２３内の圧力を開放するための弁であって、例えば、電磁弁など、公知の開閉弁が用いられる。ガス排出弁２７は、コントロールユニット２９（後述）に電気的に接続されている（図１の破線参照）。これにより、コントロールユニット２９（後述）からの制御信号がガス排出弁２７に入力され、コントロールユニット２９（後述）が、ガス排出弁２７の開閉を制御する。
【００６８】
還流ライン３２は、その上流側端部が、気液分離器２３に接続されるとともに、下流側端部が、燃料供給ライン３０の流れ方向途中、詳しくは、燃料供給ポンプ３３および燃料供給弁３４よりも下流側に接続されている。
【００６９】
また、還流ライン３２の流れ方向途中には、燃料還流ポンプ３５が介在されている。
【００７０】
燃料還流ポンプ３５としては、例えば、ロータリーポンプ、ギヤポンプなどの回転式ポンプ、ピストンポンプ、ダイヤフラムポンプなどの往復式ポンプなど、公知の送液ポンプが用いられる。燃料還流ポンプ３５は、コントロールユニット２９（後述）に電気的に接続されている（図１の破線参照）。これにより、コントロールユニット２９（後述）からの制御信号が、燃料還流ポンプ３５に入力され、コントロールユニット２９（後述）が、燃料還流ポンプ３５の駆動および停止を制御する。
【００７１】
これにより、燃料排出ライン３１内を輸送される排出液が、気液分離器２３および還流ライン３２を介して、燃料供給ライン３０に輸送される。そして、燃料タンク２２から輸送された液体燃料（１次供給液）と混合され、濃度調整された後、供給液（２次供給液）として、燃料電池３に戻ることにより、アノード９を循環するクローズドライン（閉流路）が形成される。
（３）空気給排部
空気給排部５は、燃料電池３（カソード１０）に対して空気を供給する空気供給経路としての空気供給ライン４１と、カソード１０から排出される空気を外部に排出するための空気排出ライン４２とを備えている。
【００７２】
空気供給ライン４１は、その一端側（上流側）が大気中に開放され、他端側（下流側）が空気供給口１９に接続されている。空気供給ライン４１の途中には、空気供給ポンプ４３が介在されており、また、その下流側には、空気供給弁４４が設けられている。
【００７３】
また、空気供給ポンプ４３は、コントロールユニット２９（後述）に電気的に接続されており、コントロールユニット２９（後述）からの制御信号が、空気供給ポンプ４３に入力され、コントロールユニット２９（後述）が、空気供給ポンプ４３の駆動および停止を制御する。
【００７４】
空気供給弁４４は、空気供給ライン４１を開閉するための弁であって、例えば、電磁弁など、公知の開閉弁が用いられる。
【００７５】
また、空気供給弁４４は、それぞれ、コントロールユニット２９（後述）に電気的に接続されており、コントロールユニット２９（後述）からの制御信号が、空気供給弁４４に入力され、コントロールユニット２９（後述）が、空気供給弁４４の開閉を制御する。
【００７６】
空気排出ライン４２は、その一端側（上流側）が空気排出口２０に接続され、他端側（下流側）がドレンとされる。
（４）加熱部
加熱部２１は、燃料電池３から出力される電力により気液分離器２３を温めるために、設備されている。
【００７７】
具体的には、加熱部２１は、加熱装置４５を備えている。
【００７８】
加熱装置４５は、燃料電池３から出力される電力によって、気液分離器２３を温めるための装置であって、ＤＣ／ＤＣコンバータ３６（後述）とインバータ３８（後述）とを接続する電気配線に対して、電気的に接続されており、燃料電池３により生じる電力を、ＤＣ／ＤＣコンバータ３６（後述）を介して、入力可能とするように設備されている。
【００７９】
このような加熱装置４５は、気液分離器２３の近傍に配置され、例えば、気液分離器２３の内部の金属フィルター５３に接続されている。これにより、加熱装置４５は、燃料電池３から出力される電力を用いて、金属フィルター５３を加熱可能としており、その結果、気液分離器２３の内部を加熱可能としている。
【００８０】
また、加熱装置４５は、コントロールユニット２９に電気的に接続されており（破線参照）、コントロールユニット２９により、稼働および停止が制御可能とされている。
【００８１】
なお、加熱装置４５としては、気液分離器２３を加熱することができれば、上記に限定されず、公知のヒータなどを用いることもできる。
（５）制御部
制御部６は、コントロールユニット２９を備えている。
【００８２】
コントロールユニット２９は、電動車両１における電気的な制御を実行するユニット（例えば、ＥＣＵ：Ｅｌｅｃｔｒｏｎｉｃ  Ｃｏｎｔｒｏｌ  Ｕｎｉｔ）であり、ＣＰＵ、ＲＯＭおよびＲＡＭなどを備えるマイクロコンピュータから構成されている。
【００８３】
制御部６では、詳しくは後述するが、例えば、燃料供給ポンプ３３および燃料還流ポンプ３５などの駆動および停止や、燃料供給弁３４やガス排出弁２７、空気供給弁４４などの開閉などを、適宜制御し、また、第１温度センサ５１の検知および第２温度センサ５４の検知に基づいて、加熱装置４５の稼働および停止を適宜制御する。
（６）動力部
動力部７は、燃料電池３から出力される電気エネルギーを電動車両１の駆動力として機械エネルギーに変換するためのモータ３７と、モータ３７に電気的に接続されるインバータ３８と、モータ３７による回生エネルギーを蓄電するための動力用バッテリ４０と、ＤＣ／ＤＣコンバータ３６とを備えている。
【００８４】
モータ３７は、燃料電池３よりも前方、電動車両１の前側に配置されている。モータ３７としては、例えば、三相誘導電動機、三相同期電動機など、公知の三相電動機が挙げられる。
【００８５】
インバータ３８は、モータ３７と燃料電池３との間に配置されている。インバータ３８は、燃料電池３で発電された直流電力を交流電力に変換する装置であって、例えば、公知のインバータ回路が組み込まれた電力変換装置が挙げられる。また、インバータ３８は、配線により、燃料電池３およびモータ３７にそれぞれ電気的に接続されている。
【００８６】
動力用バッテリ４０としては、例えば、ニッケル水素電池や、リチウムイオン電池など、公知の二次電池が挙げられる。また、動力用バッテリ４０は、インバータ３８と燃料電池３との間の配線に接続され、これにより、燃料電池３からの電力を蓄電可能、かつ、モータ３７に電力を供給可能とされている。
【００８７】
ＤＣ／ＤＣコンバータ３６は、動力用バッテリ４０と燃料電池３との間に配置されている。ＤＣ／ＤＣコンバータ３６は、燃料電池３の出力電圧を昇降圧する機能を有し、燃料電池３の電力および動力用バッテリ４０の入出力電力を調整する機能を有している。
【００８８】
そして、ＤＣ／ＤＣコンバータ３６は、コントロールユニット２９と電気的に接続されており（図１の破線参照）、これにより、コントロールユニット２９から出力される出力制御信号の入力に応じて、燃料電池３の出力（出力電圧）を制御する。
【００８９】
また、ＤＣ／ＤＣコンバータ３６は、配線により、燃料電池３および動力用バッテリ４０にそれぞれ電気的に接続されているとともに、配線の分岐により、インバータ３８に電気的に接続されている。
【００９０】
これにより、ＤＣ／ＤＣコンバータ３６からモータ３７への電力は、インバータ３８において直流電力から三相交流電力に変換され、三相交流電力としてモータ３７に供給される。
２．燃料電池システムによる発電
上記した燃料電池システム２では、コントロールユニット２９の制御により、燃料供給弁３４が開かれ、燃料供給ポンプ３３および燃料還流ポンプ３５が駆動されることにより、液体燃料が、燃料供給ライン３１を介してアノード９に供給される。一方、空気供給弁４４が開かれ、空気供給ポンプ４３が駆動されることにより、空気が空気供給ライン４１を介してカソード１０に供給される。なお、燃料供給弁３４は、液体燃料が所定量供給された後に閉じられる。
【００９１】
アノード９では、液体燃料が、アノード電極１１と接触しながら燃料供給路１３を通過する。一方、カソード１０では、空気が、カソード電極１６と接触しながら空気供給路１８を通過する。
【００９２】
そして、各電極（アノード電極１１およびカソード電極１６）において電気化学反応が生じ、起電力が発生する。例えば、電解質層８がアニオン交換膜であり、液体燃料がヒドラジンである場合には、下記式（１）〜（３）の通りとなる。
（１）  Ｎ２Ｈ４＋４ＯＨ−→Ｎ２＋４Ｈ２Ｏ＋４ｅ−  （アノード電極１１での反応）
（２）  Ｏ２＋２Ｈ２Ｏ＋４ｅ−→４ＯＨ−          （カソード電極１６での反応）
（３）  Ｎ２Ｈ４＋Ｏ２→Ｎ２＋２Ｈ２Ｏ              （燃料電池３全体での反応）
このようなアノード電極１１およびカソード電極１６での電気化学的反応が連続的に生じることによって、燃料電池３全体として、上記式（３）で表わされる反応が生じて、燃料電池３に起電力が発生する。
【００９３】
そして、発生した起電力が、配線を介して、ＤＣ／ＤＣコンバータ３６に送電され、動力部７では、インバータ３８およびモータ３７、および／または、動力用バッテリ４０に送電される。そして、モータ３７では、インバータ３８により三相交流電力に変換された電気エネルギーが電動車両１の車輪を駆動させる機械エネルギーに変換される。一方、動力用バッテリ４０では、その電力が充電される。
【００９４】
また、燃料給排部４では、燃料還流ポンプ３５および燃料供給ポンプ３３の駆動力により、アノード９から排出される使用後および未反応の液体燃料（排出液）が、燃料排出ライン３１を通過して上流側の底部流通口２４から気液分離器２３に流入する。気液分離器２３では、水位が金属フィルター５３よりも下方位置に保持される液体燃料の液溜まり３９が、気液分離器２３の中空部分に生じるとともに、液溜まり３９に含まれるガス（気体）が液溜まり３９の上方空間へ分離される。その一方で、液溜まり３９の一部が、下流側の底部流通口２４から還流ライン３２に流出する。
【００９５】
還流ライン３２に流出する液体燃料は、燃料供給ライン３０の流れ方向途中部分において、燃料タンク２２から供給される液体燃料と混合された後、再び燃料供給口１５から燃料供給路１３に流入する。
【００９６】
このようにして、液体燃料が、クローズドライン（還流ライン３２、燃料供給ライン３０、燃料排出ライン３０、気液分離器２３および燃料供給路１３）を循環する。なお、気液分離器２３で分離された気体は、ガス排出弁２７が開かれることにより、ガス排出管２６を介して外部へ排出される。
【００９７】
上記の燃料電池システム２では、燃料電池３の出力向上の観点から、稼働中（発電中）の燃料電池３の温度は、好ましくは、５０℃以上、６５℃以下である。
【００９８】
燃料電池３の温度が上記の範囲である場合には、コントロールユニット２９の制御により、燃料供給弁３４および空気供給弁４４の開度や、燃料供給ポンプ３３、燃料還流ポンプ３５および空気供給ポンプ４３の駆動率などが制御され、通常運転（定常運転）される（通常運転モード）。
【００９９】
そして、燃料電池３から出力された電力が、電力を消費する機器（例えば、モータ３７など）に送電され、適宜、用いられる。
【０１００】
一方、例えば、燃料電池が休止状態（低温状態）から稼働を開始した場合など、燃料電池３の温度が上記下限（好ましくは、５０℃）を下回る場合には、燃料電池３は、要求される出力に依存することなく、最大出力（一定出力）で発電される（暖機運転モード）。
【０１０１】
暖機運転モードにおける運転方法としては、例えば、空気供給ポンプ４３を最大出力で駆動させ、空気の供給量を最大にする方法や、例えば、燃料還流ポンプ３５および燃料供給ポンプ３３を最大出力で駆動させ、液体燃料の供給量を最大にする方法などが挙げられる。
【０１０２】
上記の燃料電池システム２において、燃料電池３の温度が上記下限を下回る場合には、燃料電池３の温度が上記下限を上回る場合に比べ、燃料電池３の出力特性に劣る場合がある。しかし、出力特性が低い温度領域において、燃料電池３が最大出力で発電することにより、燃料電池３の温度上昇が促進され、その結果、比較的短時間で、燃料電池３の出力特性の向上を図ることができる。
【０１０３】
なお、暖機運転モードにおける最大出力で得られる発電量は、通常運転モードにおいて通常運転（定常運転）で得られる発電量より、少ない場合がある。
【０１０４】
一方、燃料電池３の温度が上記上限（好ましくは、６５℃）を上回る場合には、例えば、燃料電池３が損傷する場合があるため、冷却水を循環させるなど、適宜の方法で、燃料電池３が冷却される。
３．  反応生成物の除去
上記した燃料電池システム２において、燃料電池３から排出される排出液は、未反応の液体燃料の他、燃料電池３における液体燃料の反応生成物および反応生成水を含んでいる。
【０１０５】
反応生成物は、用いられる液体燃料の種類により異なるが、液体燃料としてヒドラジンが用いられる場合には、上記（１）〜（３）で示したように、反応生成物として窒素（Ｎ２）が生じる。また、液体燃料の種類によっては、上記式（１）〜（３）で示されない副反応（例えば、液体燃料の分解反応など）が生じ、例えば、液体燃料としてヒドラジンが用いられる場合には、ヒドラジンが分解され、反応生成物としてアンモニア（ＮＨ３）が生じる場合がある。
【０１０６】
このような反応生成物は、燃料電池３から排出液に含有された状態で排出され、上記したように気液分離器２３において気体成分として分離され、燃料電池システム２から排出される。このような場合、例えば、アンモニアなどが気体成分として排出されると、環境負荷を生じる場合がある。
【０１０７】
そこで、この燃料電池システム２では、気液分離器２３の内部に配置された分離装置５２により、燃料電池３から排出される排出液から、反応生成物（アンモニアなど）を除去する。
【０１０８】
より具体的には、この燃料電池システム２では、気液分離器２３において、反応生成物（アンモニアなど）が気体成分として分離される。分離された反応生成物（アンモニアなど）は、金属フィルター５３を通過し、分離装置５２（吸着材など）に到達する。そして、反応生成物（アンモニアなど）は、分離装置５２（吸着材など）において、気体成分から分離および除去される。
【０１０９】
一方、上記した燃料電池システム１では、気液分離器２３の温度が、燃料電池３（本体）および排出液の温度に比べ、低くなる場合がある。
【０１１０】
より具体的には、例えば、燃料電池３が起動（稼働開始）すると、燃料電池３の温度が上昇し、また、その燃料電池３から排出される排出液の温度も上昇する。
【０１１１】
そのため、排出液が流入される気液分離器２３の温度も上昇するが、気液分離器２３は、燃料電池３から離隔されているため、気液分離器２３の温度の上昇速度は、燃料電池３の温度の上昇速度よりも遅い。
【０１１２】
その結果、燃料電池３が起動した後、所定時間が経過するまでは、燃料電池３の温度に比べ、気液分離器２３の温度が低くなる。
【０１１３】
このような場合において、比較的高温の燃料電池３から、比較的高温の排出液が排出され、排出液が排出され、比較的低温の気液分離器２３において、液体と気体とに分離されると、分離された気体が、気液分離器２３の内部で冷却される。その結果、気体の出口側において、飽和蒸気量が低下し、凝縮により水などの液滴が生じる場合がある。
【０１１４】
そして、生じた液滴が、気液分離器２３の内部の分離装置５２（吸着材など）に付着すると、分離装置５２（吸着材など）が劣化し、反応生成物（アンモニアなど）の分離効率が低下する場合がある。
【０１１５】
そこで、この燃料電池システム１では、以下に示す方法により、燃料電池システムを制御し、反応生成物を効率よく分離する。
４．  燃料電池システムの制御方法
図２は、図１の制御ユニット２９において実行される制御処理を示すフロー図である。図２に示す制御処理（プログラム）は、例えば、制御ユニット２９のＲＯＭに記憶されており、その制御処理がＣＰＵにより実行される。
【０１１６】
この制御処理は、燃料電池３の起動（運転開始）をトリガーとして、スタートされる。なお、燃料電池３では、第１温度センサ５１により検知される燃料電池３の温度に応じて、通常運転モードと、暖機運転モードとが、適宜切り替えられる。
【０１１７】
そして、この制御方法では、まず、燃料電池３と気液分離器２３との温度差を検知する（温度差検知工程（ステップＳ１））。
【０１１８】
より具体的には、例えば、第１温度センサ５１により燃料電電池３の温度Ｔ１が検知され、また、第２温度センサ５４により気液分離器２３の温度Ｔ２が検知される。そして、それらの温度が、電気信号としてコントロールユニット２３に入力され、その差（Ｔ１−Ｔ２）が算出される。
【０１１９】
次いで、この方法では、燃料電池３と気液分離器２３との温度差（Ｔ１−Ｔ２）が、予め設定される所定値ΔＴＣを、超えるか否かが判定される（ステップＳ２）。
【０１２０】
なお、所定値ΔＴＣとして設定される値は、具体的には、例えば、１０℃以上、２０℃以下である。
【０１２１】
そして、燃料電池３と気液分離器２３との温度差（Ｔ１−Ｔ２）が、予め設定される所定値ΔＴＣを超える場合（ステップＳ２：ＹＥＳ）には、加熱装置４５を稼働させる（稼働工程（ステップＳ３〜Ｓ５））。
【０１２２】
稼働工程では、まず、燃料電池３が暖機運転モードであるか否かを判定する（判定工程（ステップＳ３））。
【０１２３】
すなわち、この燃料電池システム２では、上記したように、燃料電池３の通常運転モードと暖機運転モードとが、燃料電池３の温度に応じて、適宜切り替えられている。そこで、燃料電池３が通常運転モードであるか、暖機運転モードであるかが、コントロールユニット２９によって判断される。
【０１２４】
そして、上記の判定工程において、燃料電池３が暖機運転モードであると判定された場合（ステップＳ３：ＹＥＳ）には、加熱装置４５の出力を最大とする（最大出力稼働工程（ステップＳ４））。
【０１２５】
すなわち、燃料電池３が暖機運転モードである場合には、燃料電池３が最大出力（一定出力）で発電される。そこで、燃料電池３により出力された電力を用いて、加熱装置４５を、最大出力（一定出力）で稼働させる。
【０１２６】
これにより、気液分離器２３を効率よく温めることができる。
【０１２７】
一方、上記の判定工程において、燃料電池３が通常運転モードであると判定された場合（ステップＳ３：ＮＯ））には、加熱装置４５の出力を変動させる（変動出力稼働工程（ステップＳ５））。
【０１２８】
すなわち、燃料電池３が通常運転モードである場合には、通常運転（定常運転）により燃料電池３から出力された電力が、電力を消費する機器（例えば、モータ３７など）に送電され、適宜用いられる。
【０１２９】
そして、燃料電池３により出力される電力から、電力を消費する機器（例えば、モータ３７など）に送電される電力を差し引いた、残余の電力（すなわち、余剰の電力）が、加熱装置４５において用いられる。
【０１３０】
このような残余の電力（余剰の電力）は、燃料電池３により出力される電力の量が一定になるように、電力を消費する機器（例えば、モータ３７など）に送電される電力の量に応じて、適宜変動する。
【０１３１】
そのため、加熱装置４５において用いられる電力が変動し、加熱装置４５の出力が変動する。換言すれば、加熱装置４５が、変動する出力で稼働される。
【０１３２】
その結果、燃料電池３により出力される電力の量の変動を抑制することができるため、電力を効率よく使用することができ、また、気液分離器２３を効率よく温めることができる。
【０１３３】
また、上記の温度差検知工程において、燃料電池３の温度と気液分離器２３の温度との差（Ｔ１−Ｔ２）が、所定値ΔＴＣ未満であると検知された場合（ステップＳ２：ＮＯ）には、気液分離器２３を加熱する必要がないと判断されるため、コントロールユニット２９の制御により、加熱装置４５を停止させる（停止工程（ステップＳ６））。
【０１３４】
このような操作が、燃料電池３の運転中に繰り返され（リターン）、また、燃料電池３の運転停止とともに、終了される。
５．作用効果
上記の燃料電池システム２は、燃料電池３から出力される電力によって気液分離器２３を温めるための加熱装置４５を備えている。そのため、上記の燃料電池システム２によれば、燃料電池３から出力される電力によって気液分離器２３を温めることができ、気液分離器２３において飽和蒸気圧が低下することを抑制することができる。その結果、液滴の発生を抑制することができるため、反応生成物の分離効率の低下を抑制することができる。
【０１３５】
また、上記の燃料電池システム２の制御方法によれば、燃料電池３と気液分離器２３との温度差が所定値以上である場合に、燃料電池３の運転モードに応じて、加熱装置４５を作動させ、気液分離器２３を温めることができる。そのため、気液分離器２３において飽和蒸気圧が低下することを抑制することができる。その結果、液滴の発生を抑制することができるため、反応生成物の分離効率の低下を抑制することができる。
【０１３６】
なお、上記した実施形態では、燃料還流ポンプ３５により燃料を送液しているが、例えば、燃料還流ポンプ３５に代えて、公知の電磁弁などを用い、圧力差により燃料を送液してもよい。
【符号の説明】
【０１３７】
２      燃料電池システム
３      燃料電池
２３    気液分離器
３０    燃料供給ライン
３１    燃料排出ライン
４５    加熱装置
【図１】
2016122591.tif 000003
【図２】
2016122591.tif 000004